(57)【要約】【課題】経費を抑え、拡張性に富むとともに、建築資材の受注に関する処理を迅速かつ正確に行うことができる建築資材受注システムを提供する。【解決手段】建築業者が販売業者のｗｅｂ上のトップページから商品カタログページにログインする第１工程Ｓ１と、建築業者が商品カタログページから所望の建築資材であり、販売業者との打ち合わせにより販売価格が決定する打合せ商品を選択して決定する第２工程Ｓ２、Ｓ３と、チャット機能により、建築業者と販売業者とが図面、写真、画像、文書の少なくとも１つ以上をアップロード、及びダウンロードしてリアルタイムで共有するとともに、打ち合わせ可能である第３工程Ｓ４と、チャット機能により、建築業者が販売業者の提示する見積を確認して商品の購入を決定する第４工程Ｓ５と、を有する。【選択図】図１１
2020112845.tif 000002
【特許請求の範囲】
【請求項１】
データベースを有するクラウドサーバと、建築資材を販売する販売業者のＩＣＴ端末と、該販売業者から該建築資材を購入して該建築物を建築する建築業者のＩＣＴ端末とがインターネットを介して接続され、チャット機能を備え、該販売業者が該建築業者から建築資材の受注を行う建築資材受注システムであって、
該建築業者が該販売業者のｗｅｂ上のトップページから商品カタログページにログインする第１工程と、
該建築業者が該商品カタログページから所望の建築資材であり、該販売業者との打ち合わせにより販売価格が決定する打合せ商品を選択して決定する第２工程と、
該チャット機能により、該建築業者と該販売業者とが図面、写真、画像、文書の少なくとも１つ以上をアップロード、及びダウンロードしてリアルタイムで共有するとともに、打ち合わせ可能である第３工程と、
該チャット機能により、該建築業者が該販売業者の提示する見積を確認して該商品の購入を決定する第４工程と、を有することを特徴とする建築資材受注システム。
【請求項２】
前記建築業者は、購入した前記打合せ商品の配送先として複数の配送先住所を登録可能であり、
該配送先住所毎に、前記チャット機能によりチャット可能なチャットグループを独立して設けることができることを特徴とする請求項１記載の建築資材受注システム。
【請求項３】
前記配送先住所は建築現場の住所であることを特徴とする請求項２記載の建築資材受注システム。
【発明の詳細な説明】
【技術分野】
【０００１】
本発明は、販売業者が建築業者から建築資材の受注を行う建築資材受注システムに関する。
【背景技術】
【０００２】
従来、販売業者による建築業者からの建築資材の受注は、販売業者の担当者が建築業者の事務所に訪問し、対面により図面のやり取りや提案をしつつ行われていた。そのため、建築資材の販売エリアは販売業者の担当者の訪問できるエリアに限定されていた。また、販売業者の担当者には建築資材に対する知識や営業経験が不可欠であり、人材育成に長期間を要していた。さらには、建築資材の取り引きに際して、メール、ＦＡＸ、電話でやり取りをすることが多く、聞き取り間違い、記載ミスが発生し易かった。その上、注文書、納品書等の多くの書類があるため、その管理が煩雑であった。
【０００３】
これに対し、特許文献１に示すインターネットを利用した建築資材受注システムが提案されている。この建築資材受注システムでは、データベースを備えたサーバが電算課におかれ、建築資材の受注に関するデータを一元管理して保管している。そのため、この建築資材受注システムによれば、ミスを減少させることができる上、書類の管理も容易である。また、受注に関する処理を迅速にすることができるとも考えられる。
【先行技術文献】
【特許文献】
【０００４】
【特許文献１】特開２００５−２１６１５９号公報
【発明の概要】
【発明が解決しようとする課題】
【０００５】
しかし、上記特許文献１に示すインターネットを利用した建築資材受注システムでは、サーバが電算課におかれているため、データの管理、セキュリティー対策等を自ら行わなくてはならず経費がかかるだけでなく、拡張性に乏しいシステムとなっている。また、このシステムを利用する建築業者等の端末のＯＳやＯＳのバージョンによってはシステムにアクセスすることができず、使い勝手の悪いものとなっているため、建築業者と販売業者とがシステム上においてリアルタイムにデータを共有して打ち合わせ等するのは困難であり、建築資材の受注に関する処理を十分に迅速に行うことができない。
【０００６】
本発明はかかる従来の問題点に鑑みてなされたものであり、経費を抑え、拡張性に富むとともに、建築資材の受注に関する処理を迅速かつ正確に行うことができる建築資材受注システムを提供するものである。
【課題を解決するための手段】
【０００７】
上記の課題を解決するために、請求項１に係る建築資材受注システムの特徴は、データベースを有するクラウドサーバと、建築資材を販売する販売業者のＩＣＴ端末と、該販売業者から該建築資材を購入して該建築物を建築する建築業者のＩＣＴ端末とがインターネットを介して接続され、チャット機能を備え、該販売業者が該建築業者から建築資材の受注を行う建築資材受注システムであって、該建築業者が該販売業者のｗｅｂ上のトップページから商品カタログページにログインする第１工程と、該建築業者が該商品カタログページから所望の建築資材であり、該販売業者との打ち合わせにより販売価格が決定する打合せ商品を選択して決定する第２工程と、該チャット機能により、該建築業者と該販売業者とが図面、写真、画像、文書の少なくとも１つ以上をアップロード、及びダウンロードしてリアルタイムで共有するとともに、打ち合わせ可能である第３工程と、該チャット機能により、該建築業者が該販売業者の提示する見積を確認して該商品の購入を決定する第４工程と、を有することである。
【０００８】
請求項２に係る建築資材受注システムの特徴は、前記建築業者は、購入した前記打合せ商品の配送先として複数の配送先住所を登録可能であり、該配送先住所毎に、前記チャット機能によりチャット可能なチャットグループを独立して設けることである。
【０００９】
請求項３に係る建築資材受注システムの特徴は、前記配送先住所は建築現場の住所であることを特徴とすることである。
【発明の効果】
【００１０】
請求項１に係る建築資材受注システムでは、データベースを有するクラウドサーバと、販売業者のＩＣＴ（Information and Communication Technology 情報通信技術）端末と、建築業者のＩＣＴ端末とがインターネットを介して接続されている。そのため、データの管理、セキュリティー対策等を販売業者が自ら行う必要がなく経費を抑えることができるだけでなく、アカウントを取得すれば使用する端末のＯＳに関わらずクラウドサーバにアクセス可能であり拡張性に富んだシステムとなっている。
【００１１】
また、第３工程において、チャット機能により、建築業者と販売業者とが図面、写真、画像、文書の少なくとも１つ以上をアップロード、及びダウンロードしてリアルタイムで共有するとともに、打ち合わせ可能である。そのため、建築業者と販売業者とがＩＣＴ端末を用いて打ち合わせ中に建築図面や建築資材の詳細情報等を同時に確認することにより、トラブルを回避することができるのみならず、工期の短縮を実現することができる。さらに、クラウドサーバにより建築資材の受注に関するデータを一元管理しているため、ミスを減少させることができる。したがって、この建築資材受注システムによれば、経費を抑え、拡張性に富むとともに、建築資材の受注に関する処理を迅速かつ正確に行うことができる。なお、本明細書において、建築資材には、木材、建材、設備の他、エクステリア、インテリアも含まれる。また、販売業者には、製造業者、卸売業者、小売業者が含まれる。
【００１２】
請求項２に係る建築資材受注システムによれば、建築業者は、購入した打合せ商品の配送先として複数の配送先住所を登録可能であり、配送先住所毎に、チャット機能によりチャット可能なチャットグループを独立して設けることができる。ここで、同一の建築業者であっても建築現場が異なれば取り扱う建築資材や工期等が異なる。そのため、建築現場毎に別々の配送先住所を登録することにすれば、建築資材の受注に関するデータも配送先住所毎に管理することができる。また、配送先住所毎にチャットグループを独立して設けることができるため、混乱を防ぐことができる。
【００１３】
請求項３に係る建築資材受注システムによれば、配送先住所が建築現場の住所であるため、購入した打合せ商品を必要とする建築現場に直接配送することができ、建築業者にとって確実に建築資材を調達することができる上、建築資材調達時間の短縮にもなる。また、建築現場毎に建築資材の受注に関するデータを管理することができるとともに、建築現場毎にチャットグループを設けることができるため、能率的に仕事を進めることができる。なお、チャットグループには、建築業者、販売業者の担当者を建築現場に合わせて自由に組み合せることができるだけでなく、建物の建築を依頼する施主もメンバーに加えることができる。
【図面の簡単な説明】
【００１４】
【図１】実施形態の建築資材受注システムのシステム構成図。
【図２】実施形態の建築資材受注システムに係り、卸売業者の詳細構成図。
【図３】実施形態の建築資材受注システムに係り、建築業者の詳細構成図。
【図４】実施形態の建築資材受注システムに係り、チャットグループの構成図。
【図５】実施形態の建築資材受注システムに係り、マイページの個人チャット画面の図。
【図６】実施形態の建築資材受注システムに係り、個人チャット画面から開くその他メニュー画面の図。
【図７】実施形態の建築資材受注システムに係り、個人チャット画面から開く新着情報表示画面の図。
【図８】実施形態の建築資材受注システムに係り、マイページの現場チャット画面の図。
【図９】実施形態の建築資材受注システムに係り、現場チャット画面から開く現場チャットメニュー画面の図。
【図１０】実施形態の建築資材受注システムに係り、現場チャットメニュー画面から開く購入一覧画面の図。
【図１１】実施形態の建築資材受注システムに係り、建築業者の操作手順を示すフローチャート。
【発明を実施するための形態】
【００１５】
本発明に係る建築資材受注システムを具体化した実施形態を図面に基づいて以下に説明する。図１は実施形態の建築資材受注システムのシステム構成図である。図１に示すように、この建築資材受注システムは、データベースを有するクラウドサーバ９と、建築資材を販売する販売業者としての卸売業者１のＩＣＴ端末と、卸売業者１から建築資材を購入して建築物を建築する建築業者２、３…のＩＣＴ端末とがインターネットＮを介して接続されている。このシステムでは、クラウドサーバ９を用いているため、データの管理、セキュリティー対策等を卸売業者１が自ら行う必要がなく、初期コスト、保守管理コストを低減することができる。また、アカウントを取得すれば使用する端末の種類（パーソナルコンピュータ、タブレットコンピュータ、スマートフォン等）やＯＳに関わらずクラウドサーバ９にアクセス可能であり、クラウドサーバ９のデータの共有が簡単で、共同作業も容易にすることができる。さらには、建築業者の増減に従って自由にシステムの拡張、縮小が可能で、拡張性に富んだシステムとなっている。
【００１６】
図２は卸売業者１の詳細構成図である。卸売業者１には営業担当者１０、１１…、建築士１６、１７…が所属し、営業担当者１０、１１のＩＣＴ端末であるパーソナルコンピュータ１０ａ、１１ａ、タブレットコンピュータ１０ｂ、１１ｂ、スマートフォン１０ｃ、１１ｃがインターネットＮに接続されている。また、建築士１６、１７のＩＣＴ端末であるパーソナルコンピュータ１６ａ、１７ａ、タブレットコンピュータ１６ｂ、１７ｂ、スマートフォン１６ｃ、１７ｃがインターネットＮに接続されている。営業担当者１０、１１、建築士１６、１７は、社内においてはパーソナルコンピュータ１０ａ、１１ａ、１６ａ、１７ａを使用し、外出先においてはタブレットコンピュータ１０ｂ、１１ｂ、１６ｂ、１７ｂやスマートフォン１０ｃ、１１ｃ、１６ｃ、１７ｃを使用する等、自由にＩＣＴ端末を使い分けることができる。
【００１７】
図３は建築業者２、３の詳細構成図である。建築業者２、３には資材担当者２０、２１…、３０、３１…、建築士２６、２７…、３６、３７…が所属し、資材担当者２０、２１、３０、３１のＩＣＴ端末であるパーソナルコンピュータ２０ａ、２１ａ、３０ａ、３１ａ、タブレットコンピュータ２０ｂ、２１ｂ、３０ｂ、３１ｂ、スマートフォン２０ｃ、２１ｃ、３０ｃ、３１ｃがインターネットＮに接続されている。また、建築士２６、２７、３６、３７のＩＣＴ端末であるパーソナルコンピュータ２６ａ、２７ａ、３６ａ、３７ａ、タブレットコンピュータ２６ｂ、２７ｂ、３６ｂ、３７ｂ、スマートフォン２６ｃ、２７ｃ、３６ｃ、３７ｃがインターネットＮに接続されている。資材担当者２０、２１、３０、３１、建築士２６、２７、３６、３７は、社内においてはパーソナルコンピュータ２０ａ、２１ａ、３０ａ、３１ａ、２６ａ、２７ａ、３６ａ、３７ａを使用し、外出先においてはタブレットコンピュータ２０ｂ、２１ｂ、３０ｂ、３１ｂ、２６ｂ、２７ｂ、３６ｂ、３７ｂ、スマートフォン２０ｃ、２１ｃ、３０ｃ、３１ｃ、２６ｃ、２７ｃ、３６ｃ、３７ｃを使用する等、自由にＩＣＴ端末を使い分けることができる。
【００１８】
図４はチャットグループの構成図の例である。図４（１）は第１建築現場のチャットグループを示している。また、図４（２）は第２建築現場のチャットグループを示している。第１建築現場のチャットグループは、卸売業者１の営業担当者１０、卸売業者１の建築士１６、及び建築業者２の資材担当者２０の３名がチャットメンバーになっている。また、第２建築現場のチャットグループは、卸売業者１の営業担当者１０、卸売業者１の建築士１７、建築業者３の資材担当者３１、及び建築業者３の建築士３６の４名がチャットメンバーになっている。図４（１）、（２）に示すチャットグループは例示であって、チャットグループには建物の建築を依頼する施主等を含むこともできる。
【００１９】
次に、スマートフォンによるチャットに関連する画面を、図５から図１０を用いて説明する。ここで、本実施形態の建築資材受注システムにおいては、チャットの種類として、個人チャットと現場チャットとがある。個人チャットは、アカウントを取得した個人と卸売業者の担当者との間のみでチャットをすることができる。また、現場チャットは、アカウントを取得した法人である建築業者の担当者、卸売業者の担当者、及びアカウントを取得した個人の間においてチャットをすることができ、チャットメンバーの増減が可能である。なお、タブレットコンピュータ、パーソナルコンピュータによるチャットに関連する画面は、スマートフォンによるチャットに関連する画面と略同様であるため、その説明を省略する。
【００２０】
図５は、マイページの個人チャット画面である。この個人チャット画面は、トップページからログインして開く商品カタログページにおいて「マイページ」ボタンをクリックすることにより開くことができる他、後述する方法（ステップＳ３参照）により開くことができる。個人チャット画面は、「その他メニュー」ボタンＩＣ１、「新着情報表示切り替え」ボタンＩＣ２、チャット表示ボックスＩＣ３、「ファイル添付」ボタンＩＣ４、「ダウンロード」ボタンＩＣ５、「送信」ボタンＩＣ６、チャット入力ボックスＩＣ７を有している。「その他メニュー」ボタンＩＣ１をタップすると、図６に示すその他メニュー画面が開き、「新着情報表示切り替え」ボタンＩＣ２をタップすると、図７に示す新着情報表示画面が開く。また、チャット表示ボックスＩＣ３にはチャットの内容が順次表示され、「ファイル添付」ボタンＩＣ４をタップすることにより、図面、写真、画像、文書の少なくとも１つ以上の各種データファイル等をチャットに添付することができる。さらに、「ダウンロード」ボタンＩＣ５をタップすることにより、アップロードされた図面、写真、画像、文書の少なくとも１つ以上の各種データファイル等をダウンロードすることができ、「送信」ボタンＩＣ６をタップすることにより、チャットを送信することができる。チャット入力ボックスＩＣ７は、送信するチャットを入力するためのボックスである。これらチャット表示ボックスＩＣ３、「ファイル添付」ボタンＩＣ４、「ダウンロード」ボタンＩＣ５、「送信」ボタンＩＣ６、チャット入力ボックスＩＣ７により、個人チャットを行うことができる。なお、本実施形態において、ボタンはアイコン等の他の表示方法であってもよい。
【００２１】
図６は、その他メニュー画面であり、個人チャット画面の「その他メニュー」ボタンＩＣ１をタップすると開く。その他メニュー画面は、現場一覧ＯＭ１と「新規現場登録」ボタンＯＭ２を有している。現場一覧ＯＭ１には、最上段に建築業者の会社名が表示され、その下に登録された各々の建築現場名が表示されている。この現場一覧ＯＭ１の会社名、及び建築現場名をタップすると、図８に示すマイページの現場チャット画面が開く。ただし、会社名をタップすると、会社により紐付けられたチャットグループによるチャットが可能になり、建築現場名をタップすると、建築現場により紐付けられたチャットグループによるチャットが可能になる。「新規現場登録」ボタンＯＭ２をタップすることにより、購入した建築資材の配送先として、未だ登録されていない建築現場を登録し、現場一覧ＯＭ１に加えることができる。
【００２２】
図７は、新着情報表示画面であり、個人チャット画面の「新着情報表示切り替え」ボタンＩＣ２をタップすると開く。新着情報表示画面は、「個人チャット切り替え」ボタンＮＩ１、「過去の新着情報表示切り替え」ボタンＮＩ２、新着情報表示ボックスＮＩ３を有している。「個人チャット切り替え」ボタンＮＩ１をタップすると、図５に示す個人チャット画面に戻ることができる。また、新着情報表示ボックスＮＩ３には、サイト管理者である卸売業者によりアップロードされた最新の各種情報が表示される。さらに、「過去の新着情報表示切り替え」ボタンＮＩ２をタップすると、過去において表示されていた新着情報が表示される。
【００２３】
図８は、マイページの現場チャット画面である。この現場チャット画面は、「個人チャット切り替え」ボタンＣＣ１、「現場チャットメニュー」ボタンＣＣ２、チャット表示ボックスＣＣ３、「ファイル添付」ボタンＣＣ４、「ダウンロード」ボタンＣＣ５、「送信」ボタンＣＣ６、チャット入力ボックスＣＣ７、「その他メニュー」ボタンＣＣ８を有している。「個人チャット切り替え」ボタンＣＣ１をタップすると、図５に示す個人チャット画面に戻ることができ、「現場チャットメニュー」ボタンＣＣ２をタップすると、図９に示す現場チャットメニュー画面が開く。また、チャット表示ボックスＣＣ３にはチャットの内容が順次表示され、「ファイル添付」ボタンＣＣ４をタップすることにより、図面、写真、画像、文書の少なくとも１つ以上の各種データファイル等をチャットに添付することができる。さらに、「ダウンロード」ボタンＣＣ５をタップすることにより、アップロードされた図面、写真、画像、文書の少なくとも１つ以上の各種データファイル等をダウンロードすることができ、「送信」ボタンＣＣ６をタップすることにより、チャットを送信することができる。チャット入力ボックスＣＣ７は、送信するチャットを入力するためのボックスである。これらチャット表示ボックスＣＣ３、「ファイル添付」ボタンＣＣ４、「ダウンロード」ボタンＣＣ５、「送信」ボタンＣＣ６、チャット入力ボックスＣＣ７により、現場チャットを行うことができる。また、「その他メニュー」ボタンＣＣ８をタップすると、図６に示すその他メニュー画面が開く。
【００２４】
図９は、現場チャットメニュー画面であり、現場チャット画面の「現場チャットメニュー」ボタンＣＣ２をタップすると開く。現場チャットメニュー画面は、「購入一覧」ボタンＣＭ１、「新規現場登録」ボタンＣＭ２、「現場編集」ボタンＣＭ３、及び「チャットにユーザを追加・削除」ボタンＣＭ４を有している。「購入一覧」ボタンＣＭ１をタップすると、図１０に示す購入一覧画面を表示させることができ、「新規現場登録」ボタンＣＭ２をタップすることにより、購入した建築資材の配送先として、未だ登録されていない建築現場を登録し、現場一覧ＯＭ１（図６参照）に加えることができる。また、「現場編集」ボタンＣＭ３をタップすることにより、現場一覧ＯＭ１（図６参照）に表示される建築資材の配送先を編集することができる。さらに、「チャットにユーザを追加・削除」ボタンＣＭ４をタップすることにより、この建築現場に紐付けられたチャットグループに新規メンバーを加えたり、メンバーを削除して、チャットグループを再編成することができる。
【００２５】
図１０は、購入一覧画面であり、現場チャットメニュー画面の「購入一覧」ボタンＣＭ１をタップすると開く。購入一覧画面は、「現場チャット切り替え」ボタンＢＬ１、購入品表示ボックスＢＬ２、「詳細・帳票・決済」ボタンＢＬ３、「その他メニュー」ボタンＢＬ４を有している。「現場チャット切り替え」ボタンＢＬ１をタップすると、図８に示す現場チャット画面に戻ることができる。また、購入品表示ボックスＢＬ２には、この建築現場に配送された建築資材の一覧が表示される。さらに、購入品表示ボックスＢＬ２に表示された建築資材の一覧から任意の建築資材を選択した後、「詳細・帳票・決済」ボタンＢＬ３をタップすると、その建築資材に対する詳細情報、作成された帳票、決済方法が表示される。また、「その他メニュー」ボタンＢＬ４をタップすると、図６に示すその他メニュー画面が開く。
【００２６】
次に、建築業者２の資材担当者２０が卸売業者１から、あらかじめ工場で加工した建築用の構造材であるプレカットを購入して第１建築現場に配送依頼する場合を例として、資材担当者２０の操作手順を中心に図１１に示すフローチャートを用いて説明する。ただし、資材担当者２０は、既に会員登録を済ましているが、第１建築現場についての現場登録は済ましていないものとする。ここで、会員登録は、卸売業者１のトップページの「新規会員登録」ボタンをタップすることにより行うことができる。会員登録を済ますと、ＩＤ、パスワードを取得することができる。また、現場登録は、図６に示すその他メニュー画面の「新規現場登録」ボタンＯＭ２、図９に示す現場チャットメニュー画面の「新規現場登録」ボタンＣＭ２等をタップすることにより行うことができる。第１建築現場についての現場登録を済ますと、第１建築現場に紐付けられたチャットグループを形成することができる。ただし、この時点において、第１建築現場についての現場登録が未だされていないため、図４（１）に示すような第１建築現場に紐付けられた卸売業者１の営業担当者１０、卸売業者１の建築士１６、及び建築業者２の資材担当者２０をメンバーとするチャットグループは未だ形成されていない。なお、プレカットは取引ナビ商品である。ここで、取引ナビ商品とは、打ち合わせにより販売価格が決定する打合せ商品である。以下、建築業者２の資材担当者２０、卸売業者１の営業担当者１０、卸売業者１の建築士１６は、スマートフォン２０ｃ、１０ｃ、１６ｃを用いているものとする。
【００２７】
まず、ステップＳ１において、建築業者２の資材担当者２０は、スマートフォン２０ｃを用いて、卸売業者１のトップページから「ログイン」表示をタップし、既に取得したＩＤ、パスワードを用いて商品カタログページにログインする。ステップＳ１が第１工程である。そして、ステップＳ２において、資材担当者２０は、商品カタログページから「プレカット」を検索し、検索結果一覧から「住宅プレカット（在来工法）」を選択して「カートに入れる」ボタンをタップする。これにより、ショッピングカート画面が表示され、カート内の商品が表示される。このショッピングカート画面の「レジに進む」ボタンをタップすると、ご注文内容確認ページが開く。なお、商品カタログページとは、建築資材をカテゴリー別に表示するとともに、建築資材名により検索可能にしたページである。
【００２８】
ステップＳ３においては、資材担当者２０は、ご注文内容確認ページにおいて、「住宅プレカット（在来工法）」が注文されているかどうかを確認する。そして、希望納期を入力し、配送先を選択する。ただし、本実施形態においては、配送先が未だ登録されていない第１建築現場であるため、配送先を選択する前に、「新規現場登録」ボックスに第１建築現場の現場名、住所を入力する。その後、配送先として第１建築現場を選択し、「取引ナビに送る」ボタンをタップする。これにより、ご注文完了画面が表示される。ご注文完了画面において、「取引ナビに行く」ボタンをタップすると図５に示すマイページの個人チャット画面が開く。なお、ご注文内容確認ページとは、注文済みの建築資材を表示するとともに、希望納期、配送先を選択する他、未だ登録されていない建築現場を購入した建築資材の配送先として登録する現場登録ができるページである。ステップＳ２、Ｓ３が第２工程である。
【００２９】
ステップＳ４においては、資材担当者２０は、個人チャット画面の「その他メニュー」ボタンＩＣ１をタップして、図６に示すその他メニュー画面を表示させる。そして、その他メニュー画面の現場一覧ＯＭ１の中から第１建築現場をタップすると、図８に示すマイページの現場チャット画面が開く。さらに、現場チャット画面の「現場チャットメニュー」ボタンＣＣ２をクリックして、図９に示す現場チャットメニュー画面を表示させる。そして、現場チャットメニュー画面の「チャットにユーザを追加・削除」ボタンをクリックして、卸売業者１の営業担当者１０、卸売業者１の建築士１６のメールアドレスを入力しチャットグループに招待する。これにより、第１建築現場に紐付けられた卸売業者１の営業担当者１０、卸売業者１の建築士１６、及び建築業者２の資材担当者２０の３名をチャットメンバーとするチャットグループが形成され、チャットが可能となる。なお、チャットグループの形成は卸売業者１のシステム管理画面においても行うことができるため、資材担当者２０は上記操作を省略することができる。
【００３０】
そして、資材担当者２０は、現場チャット画面において、「ファイル添付」ボタンＣＣ４をタップして第１建築現場の建築図面を添付した後、チャット入力ボックスＣＣ７にメッセージを入力し、「送信」ボタンＣＣ６をタップしてチャットを送信することができる。
【００３１】
建築士１６は、スマートフォン１６ｃを用いて、現場チャット画面の「ダウンロード」ボタンＣＣ５をタップして第１建築現場の建築図面をダウンロードし、この建築図面に基づいてプレカット図面を作成する。そして、現場チャット画面の「ファイル添付」ボタンＣＣ４をタップして完成したプレカット図面を添付した後、チャット入力ボックスＣＣ７にメッセージを入力し、「送信」ボタンＣＣ６をタップしてチャットを送信する。
【００３２】
また、営業担当者１０は、スマートフォン１０ｃを用いて、現場チャット画面の「ダウンロード」ボタンＣＣ５をタップしてプレカット図面をダウンロードし、このプレカット図面から見積金額を確定する。そして、この見積金額に基づいて卸売業者１のシステム管理画面において見積書が作成されると、図７に示す新着情報表示画面の新着情報表示ボックスＮＩ３にその情報が表示される。
【００３３】
このステップＳ４の間において、資材担当者２０、営業担当者１０、及び建築士１６は、リアルタイムで第１建築現場の建築図面、プレカット図面、建築資材の詳細情報等を共有して確認するとともに、打ち合わせ可能である。打ち合わせの例として、資材担当者２０がアップロードした建築図面や建築士１６がアップロードしたプレカット図面をもとに、資材担当者２０と建築士１６との間で詳細な打ち合わせを行う場合がある。この場合において、打ち合わせの結果、プレカット図面の変更の必要が生じれば、建築士１６はプレカット図面を変更して再度アップロードして打ち合わせることができる。また、打ち合わせにおいて、営業担当者１０、及び建築士１６は、資材担当者２０にアドバイスや提案をすることもできる。これにより、トラブルを回避することができるのみならず、工期の短縮を実現することができる。ステップＳ４が第３工程である。
【００３４】
ステップＳ５においては、資材担当者２０は、現場チャット画面の「ダウンロード」ボタンＣＣ５をタップして見積書をダウンロードし検討する。検討した結果、購入を決定した場合は、図１０に示す購入一覧画面の「詳細・帳票・決済」ボタンＢＬ３をタップし、「決済」ボタンをタップすると、取引ナビ商品決済画面が表示される。取引ナビ商品決済画面においては、注文商品、価格を再度確認することができる。そして、取引ナビ商品決済画面において、支払方法を決定し、「決済確定」ボタンをタップすると決済方法が確定する。これにより、住宅プレカット（在来工法）の購入手続きが完了する。ステップＳ５が第４工程である。なお、住宅プレカット（在来工法）の発送状況等は卸売業者１のシステム管理画面よりその都度アップロードされ、資材担当者２０は新着情報表示画面の新着情報表示ボックスＮＩ３により確認が可能である。
【００３５】
本実施形態で説明した住宅プレカット（在来工法）は、打ち合わせにより販売価格が決定する打合せ商品としての取引ナビ商品であるが、この建築資材受注システムで取り扱う建築資材には、販売価格が決定しており、打ち合わせが不要であるレジ商品も含まれている。ここで、例えば、建築業者２がレジ商品のみを購入した場合には、チャットは必要なく、通常のインターネットショッピング同様、配送先、決済方法の手続きをするだけで購入することができる。また、建築業者２は、レジ商品と取引ナビ商品の両方を同時に購入することもでき、この場合には、取引ナビ商品についてはチャットによる打ち合わせにより販売価格が決定する。さらには、複数の商品については、配送先を別々にすることもできる。また、会員登録をしていない非会員についても、この建築資材受注システムを利用して建築資材を購入することができるが、レジ商品のみ購入可能であり、チャット機能は備えていない。さらには、法人でない個人についても、会員登録して会員としてこの建築資材受注システムを利用して建築資材を購入することができる。この場合は、レジ商品、取引ナビ商品の両方を購入可能であり、チャット機能も備えているが、建築現場の現場登録をすることができない。そのため、個人チャットのみすることができ、現場チャットはすることができない。以上のように、この建築資材受注システムは、インターネットショッピングにおける商品の検索、閲覧性の良さを生かしつつ、チャットによるコミュニケーションが可能なシステムとなっている。
【００３６】
実施形態の建築資材受注システムでは、データベースを有するクラウドサーバ９と、卸売業者１のＩＣＴ端末１０ａ、１０ｂ、１０ｃ、１１ａ、１１ｂ、１１ｃ、１６ａ、１６ｂ、１６ｃ、１７ａ、１７ｂ、１７ｃと、建築業者２、３のＩＣＴ端末２０ａ、２０ｂ、２０ｃ、２１ａ、２１ｂ、２１ｃ、２６ａ、２６ｂ、２６ｃ、２７ａ、２７ｂ、２７ｃ、３０ａ、３０ｂ、３０ｃ、３１ａ、３１ｂ、３１ｃ、３６ａ、３６ｂ、３６ｃ、３７ａ、３７ｂ、３７ｃとがインターネットＮを介して接続されている。そのため、データの管理、セキュリティー対策等を卸売業者が自ら行う必要がなく経費を抑えることができるだけでなく、アカウントを取得すれば使用する端末のＯＳに関わらずクラウドサーバ９にアクセス可能であり拡張性に富んだシステムとなっている。
【００３７】
また、第３工程であるステップＳ３において、チャット機能により、建築業者１と卸売業者２、３とが図面、写真、画像、文書の少なくとも１つ以上をアップロード、及びダウンロードしてリアルタイムで共有するとともに、打ち合わせ可能である。そのため、建築業者１と卸売業者２、３とがＩＣＴ端末１０ａ、１０ｂ、１０ｃ、１１ａ、１１ｂ、１１ｃ、１６ａ、１６ｂ、１６ｃ、１７ａ、１７ｂ、１７ｃ、２０ａ、２０ｂ、２０ｃ、２１ａ、２１ｂ、２１ｃ、２６ａ、２６ｂ、２６ｃ、２７ａ、２７ｂ、２７ｃ、３０ａ、３０ｂ、３０ｃ、３１ａ、３１ｂ、３１ｃ、３６ａ、３６ｂ、３６ｃ、３７ａ、３７ｂ、３７ｃを用いて打ち合わせ中に建築図面や建築資材の詳細情報等を同時に確認することにより、トラブルを回避することができるのみならず、工期の短縮を実現することができる。さらに、クラウドサーバ９により建築資材の受注に関するデータを一元管理しているため、ミスを減少させることができる。したがって、この建築資材受注システムによれば、経費を抑え、拡張性に富むとともに、建築資材の受注に関する処理を迅速かつ正確に行うことができる。
【００３８】
また、この建築資材受注システムによれば、建築業者２、３は、購入した取引ナビ商品の配送先として複数の配送先住所を登録可能であり、配送先住所毎に、チャット機能によりチャット可能なチャットグループを独立して設けることができる。この建築資材受注システムでは、配送先住所は建築現場の住所である。ここで、同一の建築業者２、３であっても建築現場が異なれば取り扱う建築資材や工期等が異なるため、建築資材の受注に関するデータも建築現場毎に管理することが望ましい。そのため、配送先住所を各建築現場の住所とすれば、購入した取引ナビ商品を必要とする建築現場に直接配送することができ、建築業者２、３にとって確実に建築資材を調達することができる上、建築資材調達時間の短縮にもなる。また、建築現場毎に建築資材の受注に関するデータを管理することができるとともに、建築現場毎にチャットグループを設けることができるため、能率的に仕事を進めることができる。なお、チャットグループには、建築業者２、３、卸売業者１の担当者を建築現場に合わせて自由に組み合せることができる。
【００３９】
以上、本発明の建築資材受注システムを実施形態に即して説明したが、本発明はこれらに制限されるものではなく、本発明の技術的思想に反しない限り、適宜変更して適用できることはいうまでもない。
【符号の説明】
【００４０】
１…販売業者（卸売業者）、２、３…建築業者、９…クラウドサーバ、１０、１１…営業担当者、１６、１７、２６、２７…建築士、２０、２１…資材担当者、１０ａ、１０ｂ、１０ｃ、１１ａ、１１ｂ、１１ｃ、１６ａ、１６ｂ、１６ｃ、１７ａ、１７ｂ、１７ｃ、２０ａ、２０ｂ、２０ｃ、２１ａ、２１ｂ、２１ｃ、２６ａ、２６ｂ、２６ｃ、２７ａ、２７ｂ、２７ｃ、３０ａ、３０ｂ、３０ｃ、３１ａ、３１ｂ、３１ｃ、３６ａ、３６ｂ、３６ｃ、３７ａ、３７ｂ、３７ｃ…ＩＣＴ端末、Ｎ…インターネット、Ｓ１…第１工程、Ｓ２、Ｓ３…第２工程、Ｓ４…第３工程、Ｓ５…第４工程。
【図１】
2020112845.tif 000003
【図２】
2020112845.tif 000004
【図３】
2020112845.tif 000005
【図４】
2020112845.tif 000006
【図５】
2020112845.tif 000007
【図６】
2020112845.tif 000008
【図７】
2020112845.tif 000009
【図８】
2020112845.tif 000010
【図９】
2020112845.tif 000011
【図１０】
2020112845.tif 000012
【図１１】
2020112845.tif 000013